(57)【特許請求の範囲】
【請求項１】
少なくとも１つのインターフェースアダプタカード（１ａ、１ｂ）と、それぞれが複数のディスク（２０）を含む少なくとも１つのドローワ（４）とを含み、各ドローワ（４）が、ＳＣＳＩディスクインターフェース（２）によりアダプタカード（１ａまたは１ｂ）に接続され、第１のアダプタカード（１ａまたは１ｂ）が、少なくとも１つのドローワ（４）のディスク（２０）の論理アドレス体系を変えるべく当該アダプタカード（１ａまたは１ｂ）に接続されたスイッチ（１１）を具備し、１つまたは複数のアダプタカード（１ａ、１ｂ）が、独立したシングルエンド／ディファレンシャルエンドを備える２個のＳＥ／ＤＥインターフェースコンバータ（７）をそれぞれ含み、各ＳＥ／ＤＥコンバータ（７）が、ドローワ（４）に接続されるとともにアダプタカード（１）の２個のＤＣ／ＤＣコンバータ（８）の一方により区別なく電力供給され、２個の外部ＳＣＳＩコネクタ（１０）が、各ＳＥ／ＤＥコンバータ（７）に接続されることを特徴とする、構成可能な多数のインターフェースを備えたディスクのサブシステム。
【請求項２】
スイッチ（１１）が、デュアル・インライン・スイッチ型のハードウェアスイッチか、またはソフトウェア型のスイッチであることを特徴とする、請求の範囲第１項に記載の構成可能な多数のインターフェースを備えたディスクのサブシステム。
【請求項３】
スイッチが、２個のドローワ（４）のディスク（２０）のアドレスに一定値を加算し、この値が好適には８であることを特徴とする、請求項１または２に記載の多数のインターフェースを備えたディスクのサブシステム。
【請求項４】
ディスク（２０）のドローワ（４）をアダプタカード（１）に接続するＳＣＳＩインターフェース（２）が、シングルエンドＳＥ（Ｓｉｎｇｌｅ  Ｅｎｄｅｄ）型であることを特徴とする、請求項１から３のいずれか一項に記載の多数のインターフェースを備えたディスクのサブシステム。
【請求項５】
アダプタカード（１）をホストシステムに接続するＳＣＳＩインターフェース（１７）が、ディファレンシャルエンドＤＥ（Ｄｉｆｆｅｒｅｎｔｉａｌ  Ｅｎｄｅｄ）型であることを特徴とする、請求項１から４のいずれか一項に記載の多数のインターフェースを備えたディスクのサブシステム。
【請求項６】
各ＳＥ／ＤＥコンバータ（７）が、ライン・ターミネータかまたはホスト装置のバス・アダプタに接続するために、サブシステム外部にアクセス可能な２個のコネクタ（１０）にＶ字形接続（１７）により接続されることを特徴とする、請求項１から５のいずれか一項に記載の多数のインターフェースを備えたディスクのサブシステム。
【請求項７】
ＳＥ／ＤＥコンバータ（７）のブロック（６）の各ＤＣ／ＤＣコンバータ（８）が、「ワイアードＯＲ」を介して対応するブロック（６）の２個のＳＥ／ＤＥコンバータ（７）に電圧を分配することを特徴とする、請求項１から６のいずれか一項に記載の多数のインターフェースを備えたディスクのサブシステム。
【請求項８】
アダプタカード（１）が、ドータカード（１２）を含み、このドータカードが、第１の位置でディスクの所定の２個のドローワにアダプタカードを接続し、第２の位置で第１の位置のドローワとは異なるディスクの２個のドローワにアダプタカードを接続可能にすることを特徴とする、請求項１から７のいずれか一項に記載の多数のインターフェースを備えたディスクのサブシステム。
【請求項９】
リンク（１８）が、２個のＳＥ／ＤＥコンバータ（７）の２個のコネクタ（１０）を接続し、それによってディスク（２０）の２個のドローワ（４）を連鎖することを特徴とする、請求項１から８のいずれか一項に記載の多数のインターフェースを備えたディスクのサブシステム。
【請求項１０】
ディスクのドローワ（４）を接続するＳＣＳＩディスクインターフェースおよび／またはホストシステムに１つまたは複数のアダプタカード（１）を接続するＳＣＳＩディスクインターフェースが、Ｕｌｔｒａ／Ｗｉｄｅ型であって４０メガオクテット／秒の最大伝送速度をもつことを特徴とする、請求項１から８のいずれか一項に記載の多数のインターフェースを備えたディスクのサブシステム。
【請求項１１】
ディスク（２０）のドローワ（４）に配置されないライン・ターミネータ（１２１）が、関連する各アダプタカード（１ａ、１ｂ）の各ドータカード（１２ａ、１２ｂ）に組み込まれていることを特徴とする、請求項８に記載の多数のインターフェースを備えたディスクのサブシステム。
【発明の詳細な説明】
本発明は、情報処理システムのための大容量メモリとして使用される、構成可能な多数のインターフェースを備えたディスクのサブシステムに関する。
コンピュータ用の大容量メモリ型の用途では、ますます多くのメモリ容量と、格納データの安全化（故障後のデータ損失がないこと）とが必要になっている。そのうえユーザは、たとえシステムをメンテナンスしなくてはならないとしても常時作動可能な高信頼性システムを求めているので、アベイラビリティ（可用度）ということも考慮に入れなければならない。
現在提案されているサブシステムには、ＪＢＯＤ（Ｊｕｓｔａ  Ｂｕｎｃｈ  Ｏｆ  Ｄｉｓｋｓ）型またはＲＡＩＤ（Ｒｅｄｕｎｄａｎｔ  Ａｒｒａｙ  ｏｆ  Ｉｎｅｘｐｅｎｓｉｖｅ  Ｄｉｓｋｓ）型の２つのタイプがある。ＪＢＯＤ（直接ディスク連結）型サブシステムは最も簡単で最も安価である。必要なのは、６個のディスクを収容可能なドローワを４個までホストシステムに接続するための小型コンピュータシステムインターフェース（ＳＣＳＩ：Ｓｍａｌｌ  Ｃｏｍｐｕｔｅｒ  Ｓｙｓｔｅｍ  Ｉｎｔｅｒｆａｃｅ）のアダプタカードだけである。これによりオペレーティングシステムによってディスク間でミラーリングし、ディスクの故障に対してデータを保護するためにデータを安全化することができる。
このシステムの欠点は、構成が固定されているので（最大１２個のディスクをもつ２個のＳＣＳＩインターフェース）、ユーザの必要性全てをカバーしないことにある。確かに、このシステムはミラーリングによってデータの適切な安全化を提供するが、たとえばアダプタカードの一要素に欠陥がある場合には、サブシステムはもはや作動しない。
ＲＡＩＤシステムは２個のコントローラを含み、一方のコントローラは、他方のコントローラが故障した場合に、大容量ディスクのサブシステムを適切に作動させることができる。たとえば第１のコントローラをホストに接続し、別の接続ラインを用いて第２のコントローラを同じホストに接続する。
ＲＡＩＤ型サブシステムは、コントローラおよび必要なキャッシュメモリのために高価であり、また一定の場合には、従来の方法で使用されたディスクと比較すると性能が期待はずれになることがある。しかも構成の数が限られている。
本発明は、非常にアベイラビリティに優れ、高性能で、大容量データを安全化でき、使用可能な構成の選択の幅が広いＪＢＯＤサブシステムを提案することにより、従来技術の欠点を解消することを目的とする。
この目的は、構成可能な多数のインターフェースを備えたディスクのサブシステムが、少なくとも１つのインターフェースアダプタカードと、それぞれが複数のディスクを含む少なくとも１つのドローワとを含み、各ドローワが、ＳＣＳＩディスクインターフェースによりアダプタカードに接続され、第１のアダプタカードが、少なくとも１つのドローワのディスクアドレス体系を変えるためのスイッチを含み、１つまたは複数のアダプタカードが、独立したシングルエンド／ディファレンシャルエンドを備える２個のＳＥ／ＤＥインターフェースコンバータをそれぞれ含み、各ＳＥ／ＤＥコンバータが、ドローワに接続されるとともにアダプタカードの２個のＤＣ／ＤＣ（直流／直流）コンバータの各々により区別なく供給され、２個の外部ＳＣＳＩコネクタが、各ＳＥ／ＤＥコンバータに接続されることを特徴とすることによって、達せられる。
別の特徴によれば、スイッチが、デュアル・インライン・スイッチ型のハードウェアスイッチが、またはソフトウェア型のスイッチである。
他の特徴によれば、スイッチは、２個のドローワのディスクのアドレスに一定値を加算し、この値が好適には８である。
また別の特徴によれば、ディスクのドローワをアダプタカードに接続するＳＣＳＩインターフェースは、シングルエンド（ＳＥ：Ｓｉｎｇｌｅ  Ｅｎｄｅｄ）型である。
もう１つの特徴によれば、アダプタカードをホストシステムに接続するＳＣＳＩインターフェースが、ディファレンシャルエンド（ＤＥ：Ｄｉｆｆｅｒｅｎｔｉａｌ  Ｅｎｄｅｄ）型である
さらに別の特徴によれば、各ＳＥ／ＤＥコンバータは、ライン・ターミネータかまたはホスト装置のバス・アダプタに接続するために、サブシステム外部にアクセス可能な２個のコネクタにＶ字形接続により接続される。
他の特徴によれば、ＳＥ／ＤＥコンバータのブロックの各ＤＣ／ＤＣ（直流／直流）コンバータが、「ワイアードＯＲ」を介して、対応するブロックの２個のＳＥ／ＤＥコンバータに電圧を分配する。
もう１つの特徴によれば、アダプタカードがドータカードを含み、このドータカードが、第１の位置でディスクの所定の２個のドローワにアダプタカードを接続し、第２の位置で第１の位置のドローワとは異なるディスクの２個のドローワにアダプタカードを接続可能にする。
別の特徴によれば、接続ラインは、２個のＳＥ／ＤＥコンバータの２個のコネクタを接続し、それによってディスクの２個のドローワを連鎖する。
また別の特徴によれば、ディスクのドローワを接続するＳＣＳＩディスクインターフェースおよびまたはホストシステムに１つまたは複数のアダプタカードを接続するＳＣＳＩディスクインターフェースは、Ｕｌｔｒａ／Ｗｉｄｅ型であって４０メガオクテット／秒の最大伝送速度をもつ。
他の特徴によれば、ディスクのドローワに配置されないライン・ターミネータは、関連する各アダプタカードの各ドータカードに組み込まれている。
本発明の他の特徴及び長所は、添付図の説明から明らかになるだろう。
第１図は、本発明によるサブシステムのブロック図である。
第２Ａ図から第２Ｆ図は、ＪＢＯＤ（Ｊｕｓｔ  Ｂｕｎｃｈ  Ｏｆ  Ｄｉｓｋｓ）型サブシステムと相容れる本発明のサブシステムの変形実施形態で考えられる構成の、限定的ではない実施形態の簡単なブロック図である。
第３図は、ドローワ内のディスクどうしの連鎖の図である。
本発明について詳述する前に、以下の説明をよりよく理解するために幾つかの注意をしておくことが必要である。
ＪＢＯＤサブシステムは、直接ディスク連結システムである。このサブシステムは、ホストシステムに接続され、オペレーティングシステムによって、同一のサブシステムにおいてディスクのミラーリングをすることができる。ＪＢＯＤシステムは、信頼性と最大の高いアベイラビリティとをもたらすために検討されているだけである場合、それ自体としての機能性はない。
ＳＣＳＩインターフェースは、各終端が、ライン・ターミネータで終わっている複数のラインからなる。Ｗｉｄｅ  ＳＣＳＩインターフェースは、８ビットのデータと１ビットのパリティとを含むデータ・バス、８ビットのデータと１ビットのパリティとを含むデータまたはコマンド／レスポンス・バス、及び９個の他の信号によって決定される。最大１６個までのオブジェクトを接続可能であり、このオブジェクトは、ディスク若しくはホストシステムとすることができる。ＳＣＳＩインターフェースには次のような各種のタイプがある。
−伝送速度が５メガオクテット／秒（ＭＢ／ｓ）のＮａｒｒｏｗ  ＳＣＳＩ
−伝送速度が１０メガオクテット／秒のＦａｓｔ  ＳＣＳＩ
−伝送速度が２０メガオクテット／秒のＦａｓｔ／Ｗｉｄｅ  ＳＣＳＩ
−伝送速度が４０メガオクテット／秒のＵｌｔｒａ／Ｗｉｄｅ  ＳＣＳＩ
Ｎａｒｒｏｗ型とＦａｓｔ型のＳＣＳＩインターフェースは８ビット型であり、ユーザは、最大８個のオブジェクトに接続することができる。Ｆａｓｔ／Ｗｉｄｅ型とＵｌｔｒａ／Ｗｉｄｅ型のＳＣＳＩインターフェースは１６ビット型であり、ユーザは、最大１６個のオブジェクトに接続することができる。ＳＣＳＩインターフェースには二種類あり、シングルエンド（ＳＥ：Ｓｉｎｇｌｅ  Ｅｎｄｅｄ）は、ラインの長さが３〜６メートルに制限されている。ディファレンシャルエンド（ＤＥ：Ｄｉｆｆｅｒｅｎｔｉａｌ  Ｅｎｄｅｄ）は、ラインの長さが２５メートルまで可能である。第１のＳＥは、オープンコレクタの技術を用い、信号は単一の接続リンクに伝達され、復路は大容量で行われる。第２のＤＥはそれぞれが反対の情報を伝送する２本のラインを必要とする（差動技術）。
第３図は、ドローワにおけるディスクどうしの連鎖の図である。Ｆａｓｔ／ＷｉｄｅまたはＵｌｔｒａ／Ｗｉｄｅ  ＳＣＳＩインターフェースは、１６個のオブジェクトを受容可能であり、連鎖の目的は、考えられる分岐路の形成をできるだけ少なくすることにある。何故なら分岐路は信号を妨害するからである。オブジェクトの数は、オブジェクトに対して定められるアドレス数によって制限される。ＳＣＳＩインターフェースにおける接続数を制限することによって、このインターフェースでのノイズ及び妨害が少なくなる。ディスクのドローワ（４）は、たとえば６個までディスク（２０）を含むことができる。ディスク（２０）のＳＥのＳＣＳＩインターフェースは、プリント回路カード（１３）に連鎖される。ＳＣＳＩインターフェースは、連鎖により６個のディスク（第３図；２０）に接続されるフラットケーブル（１６）から到達し、ライン・ターミネータ（１５）によって終わる。１つまたは複数のディスク（２０）が存在しない場合、あるいは接続されていない場合でも、ＳＣＳＩインターフェースは切断されず、システムは作動し続けることができる。
第１図は、本発明によるサブシステムのブロック図であり、各構成要素間でなし得る配線を示したものである。図１図では、２個の同じアダプタカード（１ａ、１ｂ）および４個のドローワ（４）が示されており、ドローワは、たとえばそれぞれが６個までディスク（２０）を収容することが可能である。この構成例は、例として挙げただけであるので、本発明をこの構成に制限されるものではない。実際、異なる数のアダプタカード（１）、ドローワおよびディスクを含む、本発明によるサブシステムの構成を検討することができる。各ドローワ（４）に対してディスク（２０）のアドレスは、たとえば０から５のように番号が付けられる。ドローワ（４）は、たとえばＵｌｔｒａ／Ｗｉｄｅ型のシングルエンド（ＳＥ）のＳＣＳＩインターフェース（２）によりアダプタカード（１）に接続される。各アダプタカード（１ａ、１ｂ）は、各アダプタカード（１ａ、１ｂ）に配置されるドータカード（１２ａ、１２ｂ）によって、最大でも２個のコネクタ（３）に接続される。ドータカード（１２ａ、１２ｂ）システムにより、２セットの同じアダプタカード（１ａ、１ｂ）を決定できる。各ドータカード（１２ａ、１２ｂ）は、関連するアダプタカード（１ａ、１ｂ）に２個の位置を有する。第１の位置では、ドータカード（１２ａまたは１２ｂ）は、関連するカード（１ａまたは１ｂ）を、２個のドローワ（４（ａ）、４（ｂ））に接続された２個のコネクタ（３、Ａ及びＢ）に接続することができる。第２の位置では、ドータカード（１２ａまたは１２ｂ）は、関連するカード（１ａまたは１ｂ）を、他の２個のドローワ（４（ｄ）、４（ｅ））に接続された他の２個のコネクタ（３、Ｄ及びＥ）に接続することができる。本発明によるサブシステムが第２図に示されるように２個のアダプタカード（１ａ、１ｂ）を含む場合、関連する各アダプタカード（１ａ、１ｂ）における各ドータカード（１２ａ、１２ｂ）の位置を異なるものにして、同一のドローワ（４）が２個のアダプタカード（１ａ、１ｂ）に接続されるようなことがないようにしなければならない。ユーザに対しては、たとえばＬＥＤディスプレイによる自動装置（図示せず）により、関連するアダプタカード（１ａ、１ｂ）にドータカード（１２ａ、１２ｂ）を誤って取り付けた場合、たとえば接続を誤ったとか、ドータカード（１２ａ、１２ｂ）の取り付けを忘れたとか、あるいは関連するアダプタカード（１ａまたは１ｂ）で位置決めを誤った場合を知らせるようにする。有利には、アダプタカード（１ａ、１ｂ）のライン・ターミネータをドータカード（１２ａ、１２ｂ）に組み込むか、あるいはアダプタカード（１ａ、１ｂ）の外部に配置する。ターミネータ（１２１）をドータカード（１２ａ、１２ｂ）に組み込んだ変形実施形態では、アダプタカード（１ａ、１ｂ）の外部に配置されるターミネータ（１２２）をなくす。ターミネータ（１２２）がアダプタカード（１ａ、１ｂ）の外部に配置される変形実施形態では、ドータカード（１２ａ、１２ｂ）に組み込まれるターミネータ（１２１）をなくしている。第１図に示した例では、第１のドータカード（１２ａ）が、関連するアダプタカード（１ａ）の第１の位置に取り付けられ、第２のドータカード（１２ｂ）が、関連するアダプタカード（１ｂ）の第２の位置に取り付けられている。各アダプタカード（１ａ、１ｂ）はまた、関連するドータカード（１２ａまたは１２ｂ）に接続される２個のＳＥ／ＤＥコンバータ（７）を含む。各アダプタカード（１）のコンバータ（７）は独立しており、その固有のクロックを有する。従って、ＳＥ／ＤＥコンバータの一方で故障があっても他方には伝播しない。ＳＥ／ＤＥコンバータ（７）のブロック（６）は、２個のＤＣ／ＤＣ（直流／直流）コンバータ（８）により電力供給され、直流コンバータは、サブシステムの約２４ボルトの一般供給直流電圧を、各ＳＥ／ＤＥコンバータ（７）のために、安定化した５ボルトの特定電圧に変える。しかし２個のＤＣ／ＤＣコンバータ（８）の各々が、たとえば「ワイアードＯＲ」（９）を介して同一ブロックの２個のＳＥ／ＤＥコンバータ（７）に電流を分配する。かくして、２個のＤＣ／ＤＣコンバータ（８）の一方が故障すると、他方が２個のＳＥ／ＤＥコンバータ（７）を供給する。ディスクのサブシステムの各ＳＥ／ＤＥコンバータ（７）は、２個のコネクタ（１０）により外部と接続可能である。本発明によるサブシステムは、ＤＥのＳＣＳＩインターフェース（１７）によりホストシステムに接続される。第１のアダプタカード（１ｂ）は、スイッチ（１１）に接続される。このスイッチは、ハードウェア型であって例えばデュアル・インライン・スイッチであるか、あるいはソフトウェア型である。スイッチ（１１）は、ディスク（２０）のドローワ（４）の少なくとも１つのコネクタ（３）に接続され、たとえば第１のアダプタカードのディスク（２０）のドローワ（４（ｄ）、４（ｅ））のコネクタＤとＥ（３）に接続される。スイッチ（１１）は、作動時には、たとえば＋８などの一定数を、接続される２個のドローワ（４（ｄ）、４（ｅ））のディスク（２０）のアドレスに加算することによって、接続されているドローワ（４（ｄ）、４（ｅ））のアドレス体系を変える。従って、スイッチ（１１）に接続されている２個のドローワ（４（ｄ）、４（ｅ））のディスク（２０）のアドレスの範囲は、値０〜５から値８〜１３に移行する。
第２Ａ図から第２Ｆ図までは、ＪＢＯＤ（Ｊｕｓｔ  Ｂｕｎｃｈ  Ｏｆ  Ｄｉｓｋｓ）システムと相容れる本発明のサブシステムの変形実施形態で構成可能な限定的ではない実施形態の簡単なブロック図である。分かりやすくするために、ドータカード（１２ａ、１２ｂ）を図から省き、ディスク（２０）のドローワ（４）のコネクタ（３）とアダプタカード（１）との具体的な物理リンクだけを示した。第２Ｆ図に示された構成では、ユーザは、６個のディスク（２０）のＳＣＳＩインターフェースに例えば４個のホストシステム（１００（ａ）、１００（ｂ）、１００（ｃ）、１００（ｄ））をそれぞれ接続することができる。
各ＳＥ／ＤＥコンバータ（７）につき２個のコネクタ（１０）を設置することにより、異なるアダプタカード（１ａ、１ｂ）の２個のＳＥ／ＤＥコンバータ（７）の間で外部連鎖を行うことができる。第２Ａ図と第２Ｃ図に示したように、２個の異なるカード（１ａ、１ｂ）のＳＥ／ＤＥコンバータ（７）の２個のコネクタ（１０）の間に配置される接続リンク（１８）によって異なるカード（１ａ、１ｂ）の２個のＳＣＳＩインターフェースを一緒に接続できる。この構成では、接続される２個のドローワ（４）のディスク（２０）が同じアドレスを有するので、アドレスが衝突する。スイッチ（１１）は、この特定の構成で、一方のドローワのディスク（２０）のアドレスに例えば＋８の一定値を加算することによってドローワ（４）のアドレス体系を変え、それによってこの衝突を回避可能にする。第２Ａ図に示された構成では、第１のホストシステム（１００ｂ）が１２個のディスクのＳＣＳＩインターフェースに接続され、他の２個のホストシステム（１００ａ、１００ｃ）が、６個のディスクのＳＣＳＩインターフェイスにそれぞれ接続されている。考えられる以下の構成は、例として挙げられたのであって限定的なものではない。
−アドレス０、１、２、３、４、５の６個のディスクの４個のＳＣＳＩインターフェースで、各ＳＣＳＩインターフェースにつき少なくとも１つのホストシステム（１００）を備えるか（第２Ｆ図）、またはそれぞれ６個のディスクの２個のＳＣＳＩインターフェースの少なくとも２個のホストシステムで、連鎖があるか（第２Ｃ図）、または連鎖がないもの（第２Ｂ図）。
−アドレス０、１、２、３、４、５、８、９、１０、１１、１２、１３の１２個のディスクの２個のＳＣＳＩインターフェースで、各ＳＣＳＩインターフェースが、少なくとも１つのホストシステムに接続可能であり（第２Ｅ図）、スイッチ（１１）によりアドレスが変更されるもの。
−アドレス０、１、２、３、４、５、８、９、１０、１１、１２、１３の１２個のディスクの１個のＳＣＳＩインターフェースで、１個のホストシステム（第２Ａ図：１００ｂ）に接続されるものと、アドレス０、１、２、３、４、５及び８、９、１０、１１、１２、１３の６個のディスクの２個のＳＣＳＩインターフェイスで、少なくとも２個のホストシステム（第２Ａ図：１００ａ、１００ｃ）に接続され、スイッチ（１１）によりアドレス変更されるもの。この構成は、リンク（第２Ａ図：１８）により、異なる２個のブロック（６）の２個のＳＥ／ＤＥコンバータ（７）の連鎖を必要とする。
−６個のディスクのＳＣＳＩを２個、リンク（１８）により結合して得られ、アドレス０、１、２、３、４、５、８、９、１０、１１、１２、１３を持つ１２個のディスクの１個のＳＣＳＩインターフェースで、たとえば４個のホストシステム（第２Ｄ図）に接続されたもの。例えば、ＦＩＧ２Ｄでは、コンバータ（７ｄ）が、コネクタＤを介してドロワ（４ｄ）に接続される共に、４個のホストシステム、すなわちホストシステム（１００ａ）及び（１００ｂ）に直接、又、ホストシステム（１００ｃ）及び（１００ｄ）にリンク（１８）を介して接続されており、コンバータ（７ｂ）が、コネクタＢを介してドロワ（４ｂ）に接続されると共に、４個のホストシステム、すなわちホストシステム（１００ｃ）及び（１００ｄ）に直接、ホストシステム（１００ａ）及び（１００ｂ）にリンク（１８）を介して接続されている。
以上の様々な構成により、ユーザは、たとえばミラーリング機能を用いることによってデータを安全化できる。ミラーリング機能は、同一のドローワ（４ｅ）の別のディスク（第２Ｂ図：２０１ｅ）にディスク（第２Ｂ図：２００ｅ）をコピーすることからなる。さらにもっと自在性を得るためには、別のドローワのディスクにコピーする。また本発明によれば、ミラーの役割をするディスク（第２Ｂ図：２００ｅ、２００ｄ）が、異なるドローワ（第２Ｂ図：４ｅ、４ｄ）で選択される。第２Ｃ図によれば、本発明によるサブシステムを用いると、２個のホストシステム（１００ａ、１００ｂ）が、異なるドローワ（４ｅ、４ａ）のディスク（２００ｅ、２００ａ）に配置されるデータを共有することも可能であり、これらの同じディスク（２００ｅ、２００ａ）は、たとえばそれ自体を異なるドローワ（４ａ、４ｅ）のディスク（２０１ａ、２０１ｅ）にミラーリングすることができる。こうした構成の場合、ＳＥ／ＤＥコンバータ（７）の同一のアダプタカード（１）の２個のＳＥ／ＤＥコンバータ（７）に各ホストシステムを接続し、第１のホストシステム（１００ａ）のＳＥ／ＤＥコンバータ（７ｅ）と、第２のホストシステム（１００ｂ）のＳＥ／ＤＥコンバータ（７ａ）との間でリンク（１８）を介して連鎖を行うだけで十分である。この実施形態では、ディスク（２００ｅ）が故障すると、データは別のディスク（２００ａ）にバックアップされているので、情報がなくなることはない。もし欠陥がドローワ全体に広がることがあっても、異なるドローワでデータがバックアップされているので、データへのアクセスが常に可能になる。しかも連鎖によって、ホストシステム（１００ａ）が故障しても第２のホスト（１００ｂ）が共有データを使用し続けることができる。
第２Ｄ図に示された考えられるもう１つの構成は、１２個のディスクのＳＣＳＩインターフェースに４個のホストシステムを接続することからなる。この構成は、２個の異なるブロック（６）の２個のＳＥ／ＤＥコンバータ（７ｂ、７ｄ）を連鎖し、次にＹ型ケーブル（２１）を用いて４個のホストシステムを接続することによって得られる。
かくしてユーザは、その必要性に応じて構成可能な高いアベイラビリティのデータ安全化システムを思うままに使用できる。
ディスク（２０）のアドレス変更と、ＳＥ／ＤＥコンバータ（７）の出力におけるＹ型二重接続との可能性により、構成を柔軟なものにすることができる。また電力供給とコンバータの二重化により、アベイラビリティを高めることができる。
従って、こうした構成可能な多数のインターフェースを備えたディスクのサブシステムは、アベイラビリティが高いシステムである。その大量メモリ容量は、ディスク２４個まで可能であって、連鎖の可能性および使用の柔軟性により非常に幅広い範囲の構成を選択できる。
また、当業者が検討する他の変形実施形態も本発明の意図の一部をなすものである。
【図１】
0003689120.tif 000002
【図２Ａ】
0003689120.tif 000003
【図２Ｂ】
0003689120.tif 000004
【図２Ｃ】
0003689120.tif 000005
【図２Ｄ】
0003689120.tif 000006
【図２Ｅ】
0003689120.tif 000007
【図２Ｆ】
0003689120.tif 000008
【図３】
0003689120.tif 000009